(57)【特許請求の範囲】
【請求項１】
浴室内に設置されるバスタブの洗い場側側面の後端部と洗い場の隣設する壁パネルとの間に取り付けられるカウンターの取付構造であって、
長手方向の両端部と後端部に下方に突出すると共に複数の取付孔が穿設された固定部が一体形成されたカウンター本体を備え、該カウンター本体の一方の端部と後端部に形成された固定部を、前記洗い場の隣設する壁パネルにネジで直接固定すると共に、他方の端部に形成された固定部を、バスタブの洗い場側側面をバスタブエプロンと２分割構造で形成し該バスタブエプロンの後方側に略面一状態で連結配置されるカウンター固定部材に固定したことを特徴とするカウンターの取付構造。
【請求項２】
前記カウンター本体は、その前端部が支持手段を介して洗い場フロアーに支持されていることを特徴とする請求項１に記載のカウンターの取付構造。
【発明の詳細な説明】
【０００１】
【発明の属する技術分野】
本発明は、例えばシステムバス等の浴室の洗い場の壁パネル側に設けられるカウンターの取付構造に関する。
【０００２】
【従来の技術】
従来、浴室のカウンターは、図７及び図８に示すように、格子状金具１０１とＬ型金具１０２、１０３からなる取付金具によって、浴室の洗い場の隣設する壁パネル１０４、１０５に取り付けられている。格子状金具１０１は、その交差部が溶接、ネジ等で固定された左右方向の１枚の水平板１０１ａ及び前後方向の２枚の水平板１０１ｂと、水平板１０１ａの両端部に下方に向けて固定された２枚の垂直板１０１ｃからなり、各水平板１０１ａ、１０１ｂの一端部が壁パネル１０５、１０４にネジ１０６でそれぞれ固定され、垂直板１０１ｃの下端が洗い場フロアー１０７に蝶ボルト１０８で固定されている。
【０００３】
また、Ｌ型金具１０２は壁パネル１０４に所定間隔でネジ１０６で固定され、Ｌ型金具１０３は壁パネル１０５にネジ１０６で固定されている。このカウンター１００の取り付けは、先ず、洗い場フロアー１０７に支持されると共に壁パネル１０４、１０５に固定された格子状金具１０１と、壁パネル１０４、１０５に固定されたＬ型金具１０２、１０３上に、例えば人工大理石で形成されたカウンター１００の裏面支持部をそれぞれ載置する。そして、格子状金具１０１やＬ型金具１０２に設けた取付孔からカウンター１００の裏面固定部１００ａにネジ１０９をネジ込むことによって、カウンター１００が取付金具を介して、壁パネル１０４、１０５とバスタブの洗い場側側面１１０との間に取り付けられる。
【０００４】
【発明が解決しようとする課題】
しかしながら、このカウンター１００の取付構造にあっては、格子状金具１０１と３つのＬ型金具１０２、１０３からなる取付金具を必要とし、特に格子状金具１０１が水平板１０１ａ、１０１ｂや垂直板１０１ｃを格子状に組み付けて各板１０１ａ〜１０１ｃの端部を壁パネル１０４、１０５等に固定する構造であるため、カウンター１００の施工作業が複雑かつ面倒になり易いという問題点を有している。
【０００５】
すなわち、格子状金具１０１の各板１０１ａ〜１０１ｃやＬ型金具１０２、１０３を、壁パネル１０４、１０５や洗い場フロアー１０７に固定したり、格子状金具１０１の３枚の水平板１０１ａ、１０１ｂの両端部をカウンター１００の裏面固定部１００ａにそれぞれ固定する必要があるため、その取付作業が面倒になると共に、格子状金具１０１自体の組付作業も必要になってその作業も面倒になる。また、格子状金具１０１の水平板１０１ａをカウンター１００の長さと略等しい長さに設定して取付強度を確保する必要があるため、水平板１０１ａの長さが長くなって、格子状金具１０１の洗い場側側面１１０と壁パネル１０５間に形成される設置空間への出し入れ作業が面倒になる等、カウンター１００の施工作業が複雑かつ面倒となる。
【０００６】
また、カウンター１００を取り付けるための取付金具が、合計５枚の水平板１０１ａ、１０１ｂ及び垂直板１０１ｃからなる格子状金具１０１と、合計３つのＬ型金具１０２、１０３とで形成されているため、取付金具自体の部品数が多くなって部品コストがアップし、施工コストのアップを招き易いという問題点も有している。
【０００７】
本発明は、このような事情に鑑みてなされたもので、その目的は、取付作業が容易に行えて施工の簡略化が図れると共に部品点数を削減して施工コストの低減化が図れ、かつカウンターに所定の取付強度が得られるカウンターの取付構造を提供することにある。
【０００８】
【課題を解決するための手段】
かかる目的を達成するために、本発明のうち請求項１記載の発明は、浴室内に設置されるバスタブの洗い場側側面の後端部と洗い場の隣設する壁パネルとの間に取り付けられるカウンターの取付構造であって、長手方向の両端部と後端部に下方に突出すると共に複数の取付孔が穿設された固定部が一体形成されたカウンター本体を備え、該カウンター本体の一方の端部と後端部に形成された固定部を、前記洗い場の隣設する壁パネルにネジで直接固定すると共に、他方の端部に形成された固定部を、バスタブの洗い場側側面をバスタブエプロンと２分割構造で形成し該バスタブエプロンの後方側に略面一状態で連結配置されるカウンター固定部材に固定したことを特徴とする。
【０００９】
このように構成することにより、例えば人工大理石等で形成されたカウンター本体は、浴室洗い場の隣設する壁パネルに対応した一方の端部と後端部に、下方に突出すると共に複数の取付孔が穿設された固定部が一体形成され、この固定部がネジで壁パネルに直接固定されると共に、他方の端部に形成された固定部がバスタブの洗い場側側面にバスタブエプロンと２分割構造で設けられたカウンター固定部材に固定される。これにより、カウンター本体の壁パネルへの取り付け時に、複雑な形状の取付金具等が不要となることから、金具自体の組付作業が不要になると共に壁パネルへの取付作業も容易となって、施工作業が簡略化される。また、カウンター本体が直接壁パネルに固定されることから、取り付けのための部品点数が大幅に削減されて施工コストの低減化が図れると共に、直接固定により所定の取付強度が得られる。
【００１０】
また、請求項２記載の発明は、カウンター本体の前端部が支持手段を介して洗い場フロアーに支持されていることを特徴とする。このように構成することにより、カウンター本体の前端部が、例えば垂直板等の支持手段で洗い場フロアーに支持されることから、カウンター本体の前端部が確実に支持されて、カウンター自体により強固な取付状態が得られる。
【００１１】
【発明の実施の形態】
以下、本発明の実施の形態を図面に基づいて詳細に説明する。
図１〜図６は、本発明に係わるカウンターの取付構造の一実施例を示し、図１がその分解斜視図、図２が取付状態の正面側の断面図、図３がその側面側の断面図、図４〜図６がカウンター本体の平面図、正面図、右側面図である。
【００１２】
図１において、カウンター１は、平面視で略長方形状に形成されたカウンター本体２と、このカウンター本体２の前端部２ａ下部に垂直状態で配置されるカウンターエプロン３を有している。前記カウンター本体２は、例えば人工大理石によって形成され、その長手方向の略中央部分には、前方に円弧形状に膨らむと共に長手方向の左右端部２ｂ、２ｄに対して僅かに高く設定された洗面器置き部４が一体形成されている。
【００１３】
また、カウンター本体２には、図４〜図６に示すように、左右端部２ｂ、２ｄ後方と後端部２ｃに下方に突出した板状の固定部５ａ〜５ｃが一体形成され、この固定部５ａ〜５ｃには複数の取付孔６がそれぞれ穿設されている。なお、カウンター本体２の後端部２ｃには、全長に亘って立ち上がり壁２ｅが一体形成されると共に、その中央には水栓等の配管のための凹部７が形成されている。また、カウンター本体２の裏面には所定形状のリブ８が一体形成され、このリブ８に連なる状態で所定位置に複数個の金具固定リブ部９が一体形成されている。
【００１４】
前記カウンターエプロン３は、図１に示すように、その長手方向の略中央上部にカウンター本体２の洗面器置き部４に対応して前方に膨らんだ膨出部３ａが形成されると共に、左右両端の上部角部には、カウンター本体２の前端部２ａ角部が係合する切欠状の係合部３ｂがそれぞれ形成されている。
【００１５】
そして、このように形成されたカウンター本体２とカウンターエプロン３は、浴室洗い場の隣設する壁パネルとバスタブの洗い場側側面に、次のようにして取り付けられている。以下、このカウンター１の取付構造を取付方法の一例と併せて説明する。先ず、図２及び図３に示すように、１枚の水平板１０ａとこの水平板１０ａの両端部にネジ止め等された２枚の垂直板１０ｂからなる、支持手段としての取付金具１０を準備すると共に、図１に示すように、バスタブの洗い場側側面１１を、バスタブエプロン１２とカウンター支持部としてのカウンター固定部材１３との２分割構造に設定する。
【００１６】
この時、取付金具１０は、その水平板１０ａの長さを従来のようにカウンター本体２の長手方向の全長に亘る長さに設定する必要がなく、全長より短い長さに設定されると共に、水平板１０ａの両端部に下方に指向させて垂直板１０ｂをそれぞれ固定すればよいことから、その形状が簡略されている。
【００１７】
また、カウンター固定部材１３は、洗い場側の固定面１３ａの後端部に設けられて壁パネル１８に固定される壁パネル固定部１４と、固定面１３ａの所定高さ位置に設けられてカウンター本体２の左端部２ｂが位置決め載置されるカウンター係合部１５と、壁パネル固定部１４と反対側の端面に設けられてバスタブエプロン１２の端部が連結される連結部１６と、カウンター係合部１５の下部に穿設された配管用の開口部１７等を有して、樹脂（人工大理石を含む）によって一体成形されている。なお、カウンター固定部材１３には、その裏面にリブ２０が設けられており、このリブ２０の所定位置にはカウンター固定リブ部２１が一体形成されている。
【００１８】
そして、このカウンター固定部材１３は、壁パネル固定部１４をその取付孔１４ａを利用して壁パネル１８の所定位置にネジ２９で固定することにより、バスタブエプロン１２の後方側に略面一状態で連結配置されて、バスタブの洗い場側側面１１を形成している。このカウンター固定部材１３の壁パネル１８への固定時に、例えばカウンター固定部材１３の壁パネル固定部１４を、壁パネル１８を形成する２枚のパネル材の図示しない接続部に位置決めすることによって、カウンター係合部１５の左右方向の位置が正確に設定されて、カウンター本体２が壁パネル１９とカウンター固定部材１３間に良好な収まり状態で設置される。
【００１９】
カウンター固定部材１３を壁パネル１８に固定したら、次にカウンター本体２の後端部２ｃの固定部５ｂを壁パネル１８に、また右端部２ｄの固定部５ｃを壁パネル１９のそれぞれ所定高さ位置に当接させて、各固定部５ｂ、５ｃの取付孔６からネジ２２を壁パネル１８、１９にネジ込み、カウンター本体２の固定部５ｂ、５ｃを隣設する壁パネル１８、１９に固定する。
【００２０】
また、カウンター本体２の左端部２ｂをカウンター固定部材１３のカウンター係合部１５上に載置係合させて、左端部２ｂの固定部５ａの取付孔６を利用して、カウンター固定部材１３のカウンター固定リブ部２１にネジ２２をねじ込み両部材を固定する。これらの固定で、カウンター本体２の各固定部５ａ〜５ｃが壁パネル１８、１９とカウンター固定部材１３にネジ２２でそれぞれ直接固定されることになる。
【００２１】
そして、カウンター本体２を壁パネル１８、１９等に固定したら、次に取付金具１０をカウンター本体２の下部空間内に位置させて、取付金具１０の水平板１０ａの両端に穿設された取付孔から、ネジをカウンター本体２の金具固定リブ部９にねじ込み、カウンター本体２に取付金具１０を固定する。また、上端部がカウンター本体２に固定された取付金具１０の垂直板１０ｂの下端を、洗い場フロアー２４（洗い場防水パン）に固定されている蝶ボルト２５に蝶ナット２６で固定する。
【００２２】
次にこの状態で、カウンター本体２の前端部２ａ裏面に設けられたエプロン嵌合溝２ｆ（図３参照）にカウンターエプロン３の上端部をはめ込み、このカウンターエプロン３の下端を前記蝶ボルト２５に固定された取付板２７に取付ネジ２８で固定することにより、カウンターエプロン３がカウンター本体２に取り付けられて、カウンター本体２の前端部２ａ下部の開口がカウンターエプロン３で閉塞される。これにより、カウンター１の施工（取付）作業が終了する。
【００２３】
なお、以上の例では、取付金具１０を使用してカウンター本体２を洗い場フロアー２４に支持させたが、カウンター本体２の各固定部５ａ〜５ｃがカウンター固定部材１３や壁パネル１８、１９に直接固定されて所定の取付強度が得られること、あるいはカウンターエプロン３にカウンター本体２の支持強度を持たせること等によって、取付金具１０を省略することもできるし、取付金具１０として単に垂直板１０ｂのみを使用することもできる。また、以上の取付方法は一例であって、例えば取付金具１０の上端部をカウンター本体２に固定した後に、カウンター本体２を壁パネル１８、１９等に固定することもできる。
【００２４】
このように、上記実施例のカウンター１にあっては、カウンター本体２の左右端部２ｂ、２ｄと後端部２ｃに下方に突出した板状の固定部５ａ〜５ｃを一体成形し、この固定部５ａ〜５ｃの取付孔６を利用してネジ２２により、固定部５ａ〜５ｃを壁パネル１８、１９やカウンター固定部材１３に直接固定する構造であるため、カウンター本体２を壁パネル１８、１９等で支持することができて、従来のような複雑な形状の格子状金具１０１を使用することなく、洗い場の隣設する壁パネル１８、１９部分にカウンター１を設置することができる。
【００２５】
特に、カウンター本体２が直接壁パネル１８、１９に固定支持されることから、取付金具１０の水平板１０ａの長さを従来のように長くする必要がなくなり、取付金具１０のカウンター本体２下部への配置作業を容易に行うことができると共に、取付金具１０の組み付けを１枚の水平板１０ａと２枚の垂直板１０ｂの連結固定だけで容易に行うことができる。その結果、壁パネル１８、１９への固定箇所数や取付金具１０のカウンター本体２への固定箇所数が極力少なくなると共に、従来の格子状金具１０１のような取付金具１０自体の複雑な組付作業も不要となり、カウンター１の取付作業が簡略化されて簡単に取り付けることが可能になる。
【００２６】
また、取付金具１０を使用しない場合は勿論のこと、取付金具１０を使用する場合であっても、カウンター本体２が壁パネル１８、１９に所定の強度で直接固定支持される構造であるため、取付金具１０自体の構成を例えば１枚の水平板１０ａと２枚の垂直板１０ｂで形成して簡略化することができると共に、１つの取付金具１０の使用でよく、従来のような格子状金具１０１や複数個のＬ型金具１０２、１０３等が不要になって、取付用の部品点数を大幅に削減することができる。その結果、取付用の部品コストを低減させることができて、カウンター１の施工コストの低減化を図ることが可能になる。
【００２７】
さらに、所定の剛性を有して壁パネル１８、１９に直接固定支持されたカウンター本体２の前端部２ａが、取付金具１０を介して洗い場フロアー２４に支持されているため、カウンター本体２の前端部２ａの支持強度をアップさせることができて、カウンター１に十分な取付強度と安全性を確保することができる。また、バスタブ壁面１１を２分割してカウンター固定部材１３を設定し、このカウンター固定部材１３を壁パネル１８に固定した状態でカウンター固定部材１３にカウンター本体２の左端部２ｂをネジ２２で固定できるため、カウンター本体２の長手方向である左右端部２ｂ、２ｄが確実に固定支持されて、その取付強度をよりアップさせることが可能になる。
【００２８】
また、バスタブの洗い場側側面１１にカウンター固定部材１３を設定し、このカウンター固定部材１３を壁パネル１８の所定位置に固定することで、カウンター本体２の位置決めが正確かつ容易に行えるため、カウンター１の施工作業が一層簡単に行えると共に、取付状態においてカウンター本体２の周囲に大きな隙間の発生がなくなる等、取付状態のカウンター１の見栄えの向上を図ることができると共に、例えばカウンター本体２と壁パネル１８、１９間のシール作業も容易に行うことができる。またさらに、カウンター本体２に凸状で所定面積の洗面器置き部４が一体形成されているため、この洗面器置き部４上に洗い場で使用する洗面器を安定して置くことができて、カウンター１（すなわち浴室）の使い勝手の向上を図ることができる。
【００２９】
なお、上記実施例において、固定部５ａ〜５ｃの位置や個数も一例であって、例えば左右端部２ｂ、２ｄや後端部２ｃに複数箇所設ける等、カウンター本体２の大きさや材質による重量の大小によって適宜に変更することができる。また、上記実施例における、カウンター本体２の固定部５ａ〜５ｄの形状やカウンター本体２あるいはカウンターエプロン３の形状、カウンター本体２とカウンターエプロン３の連結構造等も一例であって、本発明に係わる各発明の要旨を逸脱しない範囲において種々変更することができる。
【００３０】
【発明の効果】
以上詳述したように、請求項１記載の発明によれば、カウンター本体の両端部と後端部に下方に突出すると共に複数の取付孔が穿設された固定部が一体形成され、一方の端部と後端部に形成された固定部がネジで壁パネルに直接固定され、他方の端部の固定部がカウンター固定部材に固定されるため、カウンター本体の壁パネルへの取付作業が容易となって施工作業の簡略化を図ることができると共に、取り付けのための部品点数が大幅に削減されて施工コストの低減化が図れ、かつ直接固定により所定の取付強度を容易に得ることができる。
【００３１】
また、請求項２記載の発明によれば、請求項１記載の発明の効果に加え、カウンター本体の前端部が、例えば垂直板等の支持手段で洗い場フロアーに支持されるため、カウンター本体の前端部が確実に支持されて、カウンター自体により強固な取付状態を得ることができる。
【図面の簡単な説明】
【図１】本発明に係わるカウンターの取付構造の一実施例を示す分解斜視図
【図２】同その取付状態の正面側の断面図
【図３】同その側面側の断面図
【図４】同カウンター本体の平面図
【図５】同その正面図
【図６】同その側面図
【図７】従来のカウンターの取付構造を示す概略平面図
【図８】同その概略正面図
【符号の説明】
１・・・・・・・・・カウンター
２・・・・・・・・・カウンター本体
３・・・・・・・・・カウンターエプロン
４・・・・・・・・・洗面器置き部
５ａ〜５ｃ・・・・・固定部
９・・・・・・・・・金具固定リブ部
１０・・・・・・・・取付金具
１０ａ・・・・・・・水平板
１０ｂ・・・・・・・垂直板
１１・・・・・・・・洗い場側側面
１２・・・・・・・・バスタブエプロン
１３・・・・・・・・カウンター固定部材
１４・・・・・・・・壁パネル固定部
１５・・・・・・・・カウンター係合部
１８、１９・・・・・壁パネル
２１・・・・・・・・カウンター固定リブ部
２４・・・・・・・・洗い場フロアー
【図１】
0003589627.tif 000002
【図２】
0003589627.tif 000003
【図３】
0003589627.tif 000004
【図４】
0003589627.tif 000005
【図５】
0003589627.tif 000006
【図６】
0003589627.tif 000007
【図７】
0003589627.tif 000008
【図８】
0003589627.tif 000009